(57)【要約】【課題】  車載機器の表示画面に装備され且つ表示画面への日射状況により遮蔽領域を可変できる位置可変式日射遮蔽フード装置に関する。【解決手段】  位置可変式日射遮蔽フード装置は、日光の反射光による車載機器の表示画面の視認性を妨げずに且つ日射遮蔽フードの遮蔽面積を必要最低限とするために、車載機器の表示画面に日光の照射を感知する日射センサーを配置して、この日射センサーの日光の照射を感知信号と、車載機器に備わるナビゲーションによる太陽の方向情報とを基に、車載機器に備わる電子制御装置を用いて日射遮蔽フードの最低必要量の遮蔽面積を算出して位置制御できる構造とする。【選択図】      図１
2006335182.tif 000002
【特許請求の範囲】
【請求項１】
車載機器の表示画面に装備される位置可変式日射遮蔽フード装置であって、
前記位置可変式日射遮蔽フード装置の日射遮蔽フードが前記表示画面の上部を覆って移動可能に配置され、且つ
前記表示画面に入射する日光の照射面の変化にしたがって、前記日射遮蔽フードが位置を可変して前記照射面を遮蔽することを特徴とする車載機器の表示画面に装備される位置可変式日射遮蔽フード。
【請求項２】
前記日射遮蔽フードが、前記日射遮蔽フードの少なくとも一方の側部にガイドピンを備え、かつ前記日射フードの少なくとも一方の側部に沿ってガイドレールが配置され、且つ
前記ガイドピンが、前記ガイドレールに沿って移動することによって、前記日射遮蔽フードが位置可変することを特徴とする請求項１に記載の位置可変式日射遮蔽フード装置。
【請求項３】
前記日射遮蔽フードが、複数個から形成されることを特徴とする請求項１または２に記載の位置可変式日射遮蔽フード装置。
【請求項４】
前記車載装置の表示画面に入射する日光を感知可能に装着された日射センサーと、
前記日射センサーによる日光感知信号と前記車載機器に備わるナビゲーションによる太陽の方向情報信号とを基に、前記車載機器に備わる電子制御装置により前記表示画面の遮蔽位置及び遮蔽量を算出して、前記電子制御装置からの遮蔽位置及び遮蔽量に基づく指示により駆動する電動機と、
前記車載装置の表示画面に入射する日光の照射にしたがって、前記電動機の駆動により前記表示画面の日光照射面を遮蔽し、且つ前記表示画面の上部に移動可能に配置された日射遮蔽フードと、
を備えることを特徴とする請求項１〜３に記載の位置可変式日射遮蔽フード装置。
【発明の詳細な説明】
【技術分野】
【０００１】
本発明は、車載機器の表示画面に装備され且つ日射状況により遮蔽領域を可変できる位置可変式日射遮蔽フード装置に関するものである。
【背景技術】
【０００２】
従来は、車載機器の表示画面（ディスプレイ・メーター）を車載する場合、表示画面からの日光の反射による視認性の低下を防ぐため、日光を遮る部品として表示画面の上部に日射遮蔽部材（フード）を装備している。
【０００３】
しかしながら、車載機器の表示画面（ディスプレイ・メーター）または表示装置は、周辺監視画像表示等の情報量の増加に伴い大型化が進み、且つ車載機器の機能アップに伴い表示画面の複数化が進みつつある。
【０００４】
したがって、表示画面への画像表示量の増加に伴い表示画面が大型化すること、及び車載機器の機能アップに伴い表示画面が複数化することに対処するために、日射遮蔽部材（フード）を大型化することが必要となっている。しかしながら、大きな日射遮蔽部材（フード）は、車両の計器盤１１（インストルメントパネル）の設計及び改良に大きな制約となっているだけでなく、計器盤１１周辺の見栄えを悪くしている。
【０００５】
【特許文献１】特開平９−３２５７１０号、特許請求の範囲
【発明の開示】
【発明が解決しようとする課題】
【０００６】
本発明は、車両の計器盤に備わる車載機器の表示画面が、表示量の増加に伴い大型化し且つ車載機器の機能アップに伴い複数化しても、車載機器の表示画面からの日光の反射による表示画面の視認性を妨げることがなく、且つ車両の計器盤の設計及び改良の妨げとなる見栄えの悪い大きな固定式の日射遮蔽フードを改良することを目的とする。
【０００７】
さらに、本発明は、車載機器の表示画面に装備される日射遮蔽フードが、表示画面の日光照射面積の変化にしたがって日射遮蔽フードの位置を可変することが可能であり、且つ及びこの位置の可変を手動的または自動的に制御することを目的とする。
【課題を解決するための手段】
【０００８】
日光が車載機器の表示画面に照射しないときは、日射遮蔽フードは表示画面を覆う必要ない。したがって、表示画面に備わる日射遮蔽フードは、表示画面の日光照射面の変化にともない位置を変化する構造が必要であり、表示画面に日光が照射しているときにだけ表示画面を覆うことができる構造とする。
【０００９】
また、車載機器の表示画面の視認性を妨げないために、日射遮蔽フードは、出し入れ可能にして表示画面を覆う面積が手動的または自動的に必要最低限となる構造にする。したがって、日射遮蔽フードの遮蔽面積を自動的に必要最低限とするためには、車載機器の表示画面に日光の照射を感知する日射センサーを配置して、この日射センサーの日光の照射を感知信号と、車載機器に備わるナビゲーションによる太陽の方向情報とを基に、車載機器に備わる電子制御装置を用いて日射遮蔽フードの最低必要量の遮蔽面積と最適位置とを算出して位置制御できる構造とする。
【００１０】
上述の構造とすることにより、本発明の車載機器の表示画面に装備される位置可変式日射遮蔽フード装置は、車載機器の表示画面の上部に移動可能に配置される日射遮蔽フードを備えることにより、車載機器の表示画面に入射する日光の照射面を手動及び自動のいずれかの方法で可変遮蔽することが可能となる。
【００１１】
また、本発明の位置可変式日射遮蔽フード装置は、日射遮蔽フードを出し入れするために、日射遮蔽フードの少なくとも一方の側部にガイドピンを備え、且つ日射フードの少なくとも一方の側部に沿ってガイドレールが配置されことにより、ガイドピンがガイドレールに沿って移動することが可能になり、日射遮蔽フードが位置可変することを容易にする。さらに、この日射遮蔽フードを複数個から構成することにより、表示画面の視認性をさらに向上させることができる。
【００１２】
さらに、本発明の車載機器の表示画面に装備される位置可変式日射遮蔽フード装置は、
車載機器の表示画面に入射する日光を感知可能に装着された日射センサーと、
日射センサーによる日光感知信号と車載機器に備わるナビゲーションによる太陽の方向情報信号とを基に、車載機器の備わる電子制御装置により表示画面の遮蔽位置及び遮蔽面積を算出して、且つ電子制御装置からの遮蔽位置及び遮蔽面積に基づく指示により駆動する電動機と、
車載機器の表示画面に入射する日光の照射にしたがって、電動機の駆動により表示画面の日光照射面を遮蔽し、且つ車載機器の表示画面の上部に移動可能に配置された日射遮蔽フードと、を備える。本発明の上記構成は、日射遮蔽フードを自動調整する構成を示すが、電動機をオンにした自動操作及び電動機をオフにした手動操作の互の切替によって、いずれの方法でも操作することができる。
【００１３】
本発明の車載機器の表示画面に装備される位置可変式日射遮蔽フード装置は、上記構成を備えることにより、表示画面への日光の照射状況に応じて、日射遮蔽フードの遮蔽位置及び遮蔽量を手動または自動に所望の制御することができる。
【発明の効果】
【００１４】
本発明の車載機器の表示画面に装備される位置可変式日射遮蔽フード装置は、車載機器の表示画面が大型化且つ複数化しても、表示画面への日光の照射状況に応じて日射遮蔽フードで遮蔽位置及び遮蔽面積を制御することができるので、日光の反射による表示画面の視認性の低下を防止することができ且つ日射のないときには収納することができる。
【００１５】
また、本発明の車載機器の表示画面に装備される位置可変式日射遮蔽フード装置は、車載機器の表示画面への日光の照射状況に応じて、複数の日射遮蔽フードのそれぞれが無段階に任意の遮蔽位置及び遮蔽面積に制御することが可能であるので、車両の計器盤（インストルメントパネル）の設計及び改良に大きな制約となる見栄えの悪い大きなフードをなくすことができ、且つ複数のそれぞれの大きな表示画面全体に、コストの高いディスプレイ表面の無反射処理コートを被覆することが不要となる。
【発明を実施するための最良の形態】
【００１６】
本発明の車載機器の表示画面に装備される位置可変式日射遮蔽フード装置は、車載機器の表示画面１（ディスプレイ）と、日射遮蔽フード２と、表示画面１に装着される日射センサー５と、日射遮蔽フード２の少なくとも一方の側部に設けられるガイドピン３と、日射遮蔽フード２の少なくとも一方の側部に沿って配置されるガイドレール４とを含んで構成される。本発明において、日射センサー５は、図３に示すように表示画面の下方コーナ部分に配置する。または、日射センサー５は、表示画面の上方コーナ部分および表示画面のいずれの場所に設けてもよい。本発明の車載機器の表示画面に装備される日射遮蔽フード２の全体が最大限引き出された状態を図２の（ａ）に示す。また、図２の（ｂ）に日射遮蔽フード２が収納された状態を示す。
【００１７】
本発明において車載機器の表示画面１は、図１に示すように、車両の計器盤１１（インストルメンタルパネル）に固定して設置される。一方、本発明の位置可変式日射遮蔽フード装置１０の日射遮蔽フード２は、表示画面１の上部の設けた挿入溝７内に移動可能に配置されるので、図２の（ａ）に示すように、表示画面１（ディスプレイ）に日光が照射している面部分のみを遮蔽するように日射遮蔽フード２の位置を可変すること可能となる。
【００１８】
さらに、上述するように、日射遮蔽フード２が表示画面１の上部に移動可能に配置されるので、表示画面１に日光が照射されていないとき、または等の日光遮蔽フード２の未使用ときには、日光遮蔽フード２は収納状態（図２の（ａ）に示す）から全部出た状態（図２の（ｂ）に示す）までの間のいずれの位置でも使用可能となり、表示画面１の視認性を状況に応じて良好にすることができる。
【００１９】
また、本発明の位置可変式日射遮蔽フード装置１０に備わる日射遮蔽フード２は、図２の（ａ）に示すように、日射遮蔽フード２のいずれか一方の側部にガイドピン３を備え、さらに日射遮蔽フード２のいずれか一方の側部に沿ってガイドレール４を配置する。このような構成により、日射遮蔽フード２に設けたガイドピン３がガイドレール４に沿って移動することが可能になり、日射遮蔽フード２が位置可変することを容易にする。
【００２０】
本発明の位置可変式日射遮蔽フード装置１０の日射遮蔽フード２は、図２の（ａ）及び（ｂ）に示すようにガイドピン３を備えており、全部引き出した状態と収納状態との間の移動は、ガイドピン３がガイドレール４内を動くことによって得られる。さらに、本発明の日射遮蔽フード２はガイドレール４上の任意の点に止めておくことができるので、日光を遮るのに必要な最低減の位置に移動にして止めて使用することができる。
【実施例】
【００２１】
本発明の位置可変式日射遮蔽フード装置は、日射遮蔽フード２が一枚で構成することもできる。以下に、本発明の位置可変式日射遮蔽フード装置の日射遮蔽フードを、３枚の日射遮蔽フード２−１、２−２、２−３で構成した本発明の位置可変式日射遮蔽フード装置を、図面を参照して説明する。図１及び図３は、日射遮蔽フードが３枚で構成された本発明の位置可変式日射遮蔽フード装置の例を示す。
【００２２】
本発明の位置可変式日射遮蔽フード装置１０の日射遮蔽フード２は、図１及び図３に示すように、車両の窓から差し込む上方から日光が表示画面１に照射している場合、車両前方に向かって中央の日射遮蔽フード２−２が使用される。或いは、窓から差し込む左側から日光が表示画面１に照射している場合、車両前方に向かって左側の日射遮蔽フード２−１が使用され、また、右側から日光が表示画面１に照射している場合、車両前方に向かって右側の日射遮蔽フード２−３が使用される。
【００２３】
しかしながら、差し込む日光の入射角及びその方向に依存して、それぞれの日射遮蔽フード２−１、２−２、２−３を同時に作動させることも可能である。したがって、１枚の日射遮蔽フード２で構成された日射遮断フード装置１０と比較して、３枚の日射遮蔽フード２−１、２−２、２−３で構成された日射遮断フード装置１０は、日光を遮るための日射遮蔽フードの引き出し量を部分的により小さくすることができるので、表示画面の視認性を向上させることができる。
【００２４】
本発明においては、位置可変式日射遮断フード装置１０の日射遮蔽フード２、或いは日射遮蔽フード２−１、２−２、２−３のそれぞれを、手動移動するか或いは計器盤１１のフード挿入溝７内に設けられた電動機６によってガイドピン３を案内するガイドレール４に沿って自動移動するかが任意に選択することができる。
【００２５】
また、本発明の位置可変式日射遮蔽フード装置１０する場合、日射センサー５による日光感知信号と車載機器に備わるナビゲーションによる太陽の方向情報信号とを基に、車載機器に備わる電子制御装置により表示画面の遮蔽位置及び日射遮蔽フード２の引き出し量を算出する。この電子制御装置からの遮蔽位置及び引き出し量に基づく指示により電動機６が駆動して、車載装置の表示画面に入射する日光の照射にしたがって、日射遮蔽フード２、または日射遮蔽フード２−１、２−２、２−３のいずれかが、表示画面の日光照射面を遮蔽する。
【００２６】
すなわち、本発明の位置可変式日射遮蔽フード装置１０を自動で作動させる方法を、図４の作動ブロック図を参照して以下に説明する。運転者が車に乗り込みエンジンが始動前の状態（Ｓ１）では、日射遮蔽フード２は計器盤１１内の挿入溝７内に収納されている。運転者がエンジンを始動したとき、日射センサーよる信号（Ｓ１）、ナビゲーションよる太陽の位置情報（Ｓ２）、及びナビゲーションよる時刻（Ｓ４）が、電子制御装置（ＥＣＵ）に入力される。
【００２７】
電子制御装置（ＥＣＵ）は、これらの入力に基づき日射遮蔽フード２のそれぞれが計器盤１のフード挿入溝７から伸びだして、表示画面の日光を遮蔽する位置或いは場所（上部日射遮蔽部材、左側日射遮蔽部材、右側日射遮蔽部材）と必要最低限の遮蔽量を算出する（Ｓ５）。電子制御装置（ＥＣＵ）によって算出されたこの算出量に基づき電動機６が駆動されそれぞれの日射遮蔽フード２−１、２−２、２−３を作動させる（Ｓ６）。それぞれの日射遮蔽フードの作動により、表示画面１（ディスプレイ）に当る日光が遮蔽され、ディスプレイの視認性が確保される（Ｓ７）。
【産業上の利用可能性】
【００２８】
本発明の車載機器の表示画面に装備される位置可変式日射遮蔽フード装置は、車載機器の表示画面に入射する日光を遮蔽することによって、表示画面からの反射光をなくすことができ表示画面の視認性を非常に向上させることができるので、車両に乗車する人員及び積載物を安全確実さらに迅速に目的地まで輸送することができる。
【図面の簡単な説明】
【００２９】
【図１】本発明の位置可変式日射遮蔽フード装置が配置された車両の計器盤（インストルメンタルパネル）の斜視図を示し、日射遮蔽フードが３枚の部材から形成された位置可変式日射遮蔽フード装置を示す。
【図２】図１のＡ−Ａ方向から見た本発明の位置可変式日射遮蔽フード装置と計器盤との部分断面図で示し、図１の（ａ）は日射遮蔽フードが日光の入射する表示画面を遮蔽している作動状態を示し、図１の（ｂ）は日射遮蔽フードが表示画面を遮蔽する必要の無いときの収納状態を示す。
【図３】本発明の位置可変式日射遮蔽フード装置が、３枚の日射遮蔽フードから形成される位置可変式日射遮蔽フード装置の正面模式図を示す。
【図４】本発明の車載機器の表示画面に装備された日射遮蔽フードを自動で作動させるための作動ブロック図を示す。
【符号の説明】
【００３０】
１    表示画面
２    日射遮蔽フード
３    ガイドピン
４    ガイドレール
５    日射センサー
６    電動機
７    フード挿入溝
１０    位置可変式日射遮蔽フード装置
１１    計器盤
【図１】
2006335182.tif 000003
【図２】
2006335182.tif 000004
【図３】
2006335182.tif 000005
【図４】
2006335182.tif 000006